(57)【要約】【課題】  １，１，１，３，３−ペンタフルオロブタンを主成分とする洗浄用溶剤組成物の洗浄能力をアップする。【解決手段】  洗浄用溶剤組成物は、（ａ）１，１，１，３，３−ペンタフルオロブタンを１０〜８５重量％、（ｂ）１種または２種以上のプロピレングリコール系溶剤を５〜８０重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を１０〜８５重量％、含有する。【特許請求の範囲】
【請求項１】
（ａ）１，１，１，３，３−ペンタフルオロブタンを１０〜８５重量％、（ｂ）１種または２種以上のプロピレングリコール系溶剤を５〜８０重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を１０〜８５重量％、含有することを特徴とする洗浄用溶剤組成物。
【請求項２】
（ａ）１，１，１，３，３−ペンタフルオロブタンを１０〜８５重量％、（ｂ）１種または２種以上のプロピレングリコール系溶剤を１０〜８５重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を５〜８０重量％、含有することを特徴とする洗浄用溶剤組成物。
【請求項３】
（ａ）１，１，１，３，３−ペンタフルオロブタンを１０〜７５重量％、（ｂ）１種または２種以上のプロピレングリコール系溶剤を１０〜７５重量％、（ｃ）ニトロメタン、ニトロエタン、３−メトキシ・ブチルアセテートおよび３−メトキシ−１−ブタノールの中から選ばれる少なくとも１種の溶剤を１５〜８０重量％、含有することを特徴とする洗浄用溶剤組成物。
【発明の詳細な説明】
【技術分野】
【０００１】
本発明は、１，１，１，３，３−ペンタフルオロブタンを主成分とする洗浄用溶剤組成物に係り、特にその洗浄能力をアップする技術に関する。
【背景技術】
【０００２】
塩素系溶剤やフッ素系溶剤は、従来、フラックス洗浄剤、ドライクリーニング用溶剤、脱脂洗浄剤、バフ研磨洗浄剤、レジスト剥離剤または付着水除去用溶剤などとして広く使用されてきた。しかしながら、塩素系溶剤は地下水汚染の原因物質として、またフッ素系溶剤はオゾン層の破壊の原因物質として、いずれも環境上の問題からその使用は抑制されつつある。そこで、かかる溶剤にかわる新規の溶剤が各方面で要望されている。
【０００３】
その１つに、１，１，１，３，３−ペンタフルオロブタン（３６５ｍｆｃ、化学式：Ｃ４Ｈ５Ｆ５）がある（特許文献１、２、３、４等参照）。１，１，１，３，３−ペンタフルオロブタンは、その分子構造中に塩素を含まずオゾン破壊係数（ＯＤＰ）は０であり、毒性も少なく、また温暖化係数（ＧＷＰ）も小さく、環境に優しくクリーンであるという優れた特徴を備えている。
【特許文献１】特開平５−１７１１８９号
【特許文献２】特開平５−１７１１９０号
【特許文献３】特開平６−３２２３９４号
【特許文献４】特開平７−１８８７００号
【発明の開示】
【発明が解決しようとする課題】
【０００４】
しかしながら、１，１，１，３，３−ペンタフルオロブタン（３６５ｍｆｃ）は、ＫＢ値（カウリブタノール値）が約１４ときわめて低く、ほとんど脱脂能力がないという問題があった。ＫＢ値が低いと、各種洗浄剤としては、十分な洗浄能力を発揮することはできない。  
そこで、１，１，１，３，３−ペンタフルオロブタンに対し、これよりもＫＢ値の高い脱脂洗浄力のある塩化メチレン、又は１，１−ジクロロ−１−フルオロエタン（ＨＣＦＣ１４１ｂ）を混合して、洗浄能力のアップを図ることが提案されている（特開平５−１７１１８５号公報、特開平１１−１５２２３６号公報参照）。  
しかしながら、塩化メチレンは、毒性が強いことから、作業時の人体への悪影響が懸念されることから、使用上好ましくはないとともに、今後使用が難しくなりつつある。また、１，１−ジクロロ−１−フルオロエタン（１４１ｂ）は、オゾン破壊係数が高く、規制の対象となっている。
【０００５】
本発明は、このような事情に鑑みてなされたものであって、その目的は、１，１，１，３，３−ペンタフルオロブタンを主成分とする洗浄能力、特に脱脂洗浄能力に優れた洗浄用溶剤組成物を提供することにある。
【課題を解決するための手段】
【０００６】
前記目的を達成するための主たる発明は、（ａ）１，１，１，３，３−ペンタフルオロブタンを１０〜８５重量％、（ｂ）１種または２種以上のプロピレングリコール系溶剤を５〜８０重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を１０〜８５重量％、含有することを特徴とする洗浄用溶剤組成物である。
【０００７】
本発明の他の特徴は、本明細書及び添付図面の記載により明らかにする。
【発明を実施するための最良の形態】
【０００８】
＝＝＝開示の概要＝＝＝
本明細書及び添付図面の記載により、少なくとも以下の事項が明らかとなる。
【０００９】
（ａ）１，１，１，３，３−ペンタフルオロブタンを１０〜８５重量％、（ｂ）１種または２種以上のプロピレングリコール系溶剤を５〜８０重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を１０〜８５重量％、含有することを特徴とする洗浄用溶剤組成物。
【００１０】
ここで、プロピレングリコール系溶剤は、１，１，１，３，３−ペンタフルオロブタンの洗浄能力をアップさせるのに相応しい溶剤として見出したものである。プロピレングリコール系溶剤は、非常に溶解力が高く、脱脂洗浄に優れている。その上、プロピレングリコール系溶剤は、毒性もなく非常に安全で取り扱い易く、さらにその分子構造中に塩素やフッ素を含まず、オゾン破壊係数（ＯＤＰ）も温暖化係数（ＧＷＰ）も小さく、環境に優しいクリーンであるという優れた特性を有している。このような溶剤を１，１，１，３，３−ペンタフルオロブタンに混合することで、洗浄能力、特に脱脂洗浄能力の大幅なアップが図れ、各種洗浄剤としては、十分な性能を発揮させることができる。  
ただし、プロピレングリコール系溶剤は引火性があり可燃物に該当するという欠点がある。しかし、１，１，１，３，３−ペンタフルオロブタンは、引火性がなく不燃物であることから、これらの不燃溶剤と混合することで、引火性がなく安全な難燃物にすることができる。  
さらに、ニトロメタン、ニトロエタン、３−メトキシ・ブチルアセテート、３−メトキシ−１−ブタノールまたはｄ−リモネンを含有することで、さらに溶解力を高めることができ、優れた洗浄力を発揮することができる。
【００１１】
（ａ）１，１，１，３，３−ペンタフルオロブタンを１０〜８５重量％、（ｂ）１種または２種以上のプロピレングリコール系溶剤を１０〜８５重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を５〜８０重量％、含有することを特徴とする洗浄用溶剤組成物。  
このような洗浄用溶剤組成物にあっては、洗浄能力、特に脱脂洗浄能力の大幅なアップが図れ、各種洗浄剤としては、十分な性能を発揮させることができる。さらに、この洗浄用溶剤組成物にあっては、引火性がなく安全な難燃物にすることができる。その上、この洗浄用溶剤組成物では、ニトロメタン、ニトロエタン、３−メトキシ・ブチルアセテート、３−メトキシ−１−ブタノールまたはｄ−リモネンを含有することで、さらに溶解力を高めることができ、優れた洗浄力を発揮することができる。
【００１２】
（ａ）１，１，１，３，３−ペンタフルオロブタンを１０〜７５重量％、（ｂ）１種または２種以上のプロピレングリコール系溶剤を１０〜７５重量％、（ｃ）ニトロメタン、ニトロエタン、３−メトキシ・ブチルアセテートおよび３−メトキシ−１−ブタノールの中から選ばれる少なくとも１種の溶剤を１５〜８０重量％、含有することを特徴とする洗浄用溶剤組成物。  
このような洗浄用溶剤組成物にあっては、洗浄能力、特に脱脂洗浄能力の大幅なアップが図れ、各種洗浄剤としては、十分な性能を発揮させることができる。特にフラックスの洗浄において優れた効果を奏する。さらに、この洗浄用溶剤組成物にあっては、引火性がなく安全な難燃物にすることができる。その上、この洗浄用溶剤組成物では、ニトロメタン、ニトロエタン、３−メトキシ・ブチルアセテートまたは３−メトキシ−１−ブタノールを含有することで、さらに溶解力を高めることができ、優れた洗浄力を発揮することができる。
【００１３】
＝＝＝洗浄用溶剤組成物の概要＝＝＝
以下に本発明に係る洗浄用溶剤組成物の実施の形態について説明する。本発明に係る洗浄用溶剤組成物は、（ａ）１，１，１，３，３−ペンタフルオロブタンを１０〜８５重量％、（ｂ）１種または２種以上のプロピレングリコール系溶剤を５〜８０重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を１０〜８５重量％、含有する構成とする。
【００１４】
また、他の洗浄用溶剤組成物は、（ａ）１，１，１，３，３−ペンタフルオロブタンを１０〜８５重量％、（ｂ）１種または２種以上のプロピレングリコール系溶剤を１０〜８５重量％、（ｃ）ニトロメタン、ニトロエタン、３−メトキシ・ブチルアセテート、３−メトキシ−１−ブタノールおよびｄ−リモネンの中から選ばれる少なくとも１種の溶剤を５〜８０重量％、含有する構成とする。
【００１５】
また、他の洗浄用溶剤組成物は、（ａ）１，１，１，３，３−ペンタフルオロブタンを１０〜７５重量％、（ｂ）１種または２種以上のプロピレングリコール系溶剤を１０〜７５重量％、（ｃ）ニトロメタン、ニトロエタン、３−メトキシ・ブチルアセテートおよび３−メトキシ−１−ブタノールの中から選ばれる少なくとも１種の溶剤を１５〜８０重量％、含有する構成とする。
【００１６】
ここで、プロピレングリコール系溶剤としては、具体的に、プロピレングリコールメチルエーテル［ＰＭ］（沸点：１２０℃，引火点：３４℃）、ジ・プロピレングリコールメチルエーテル［ＤＰＭ］（沸点：１８８℃，引火点：７９℃）、トリ・プロピレングリコールメチルエーテル［ＴＰＭ］（沸点：２４２℃，引火点：１２２℃）、プロピレングリコール−ｎ−ブチルエーテル［ＰｎＢ］（沸点：１７０℃，引火点：６２℃）、ジ・プロピレングリコール−ｎ−ブチルエーテル［ＤＰｎＢ］（沸点：２２９℃，引火点：１０６℃）、トリプロピレングリコール−ｎ−ブチルエーテル（沸点：２７４℃，引火点：１３８℃）、プロピレングリコールメチルエーテルアセテート［ＰＭＡ］（沸点：１４６℃，引火点：４６．５℃）、プロピレングリコールジアセテート［ＰＧＤＡ］（沸点：１９０℃，引火点：９３℃）、プロピレングリコールフェニルエーテル［ＰＰｈ］（沸点：２４３℃，引火点：１２１℃）およびプロピレングリコールモノエチールエーテルアセテート（沸点：１５８℃，引火点：５３℃）などがある。これらのプロピレングリコール系溶剤は、１種類単独で混合されても複数種類複合されて混合されてもよい。
【００１７】
また、１，１，１，３，３−ペンタフルオロブタンについては、加熱状態や蒸気での洗浄に使用される際に、被洗浄物が鉄、亜鉛、アルミ、銅、真鍮等であると金属の影響で不安定になる場合があるため、安定剤として、ニトロ化合物類、フェノール類、アミン類、エーテル類、アミレン類、エポキサイド類、またはトリアゾール類から選ばれる１種以上の化合物を添加するのが好ましい。安定剤としては、具体的に次のようなものがある。プロピレンオキシド、１，２−ブチレンオキシド、グリシドールなどのエポキシド類；ジメチルホスファイト、ジイソプロピルホスファイト、ジフェニルホスファイトなどのホスファイト類；トリラウリルトリチオフォスファイトなどのチオホスファイト類；トリフェノキシホスフィンサルファイド、トリメチルホスフィンサルファイドなどのホスフィンサルファイド類；ホウ酸、トリエチルボレート、トリフェニルボレート、フェニルボロン酸、ジフェニルボロン酸などのホウ素化合物；２，６−ジ−ｔｅｒｔ・ブチルパラクレゾールなどのフェノール類；ニトロメタン、ニトロエタンなどのニトロアルカン類；アクリル酸メチル、アクリル酸エチルなどのアクリル酸エステル類；その他ジオキサン、ｔｅｒｔ−ブタノール、ペンタエリスリトール、パライソプロペニルトルエン。これらの安定剤の添加量については、特に限定されるものではないが、洗浄用溶剤組成物全体量の０．０１〜５．００重量％程度に設定するのが好ましい。
【００１８】
また、ニトロメタン、ニトロエタン、３−メトキシ・ブチルアセテート、３−メトキシ−１−ブタノールまたはｄ−リモネンについては、これらの中から選ばれた少なくとも１種の溶剤が混合されていればよく、もちろんこれらの中から２種以上選ばれて混合されてもよい。これらの溶剤の混合量については、あまり少なすぎても十分に洗浄能力の向上が図れず、このことから、その下限値については５重量％以上に設定するのが好ましい。また、これらの溶剤の混合量があまり大量過ぎると、引火性が生じてしまうため、引火性が生じない程度に適宜混合するのが好ましい。また、これらの溶剤はプロピレングリコール系溶剤に比べて割高となるため、その使用量をなるべく抑えるのが好ましい。
【００１９】
本発明の洗浄用溶剤組成物の主な用途としては、例えば、レジスト剥離剤やフラックス洗浄剤・油脂類等の脱脂洗浄剤、バフ研磨洗浄剤、接着剤（ウレタンやエポキシ、シリコン等）の溶解剤、ドライクリーニング用溶剤、グリース・油・ワックス・インキ等の除去剤、塗料用溶剤、抽出剤、ガラス・セラミックス・ゴム・金属製各種物品、特にＩＣ部品、電気機器、精密機器、光学レンズ等の洗浄剤や水切り剤等を挙げることができる。
【００２０】
また、本発明の洗浄用溶剤組成物を適用可能な洗浄方法としては、例えば、手拭き、浸漬、スプレー、超音波洗浄、蒸気洗浄、接着剤（ウレタンやエポキシ、シリコン等）の充填装置のノズル洗浄、その他一般洗浄である。
【００２１】
次に本発明に係る洗浄用溶剤組成物の性能を確認するために次のような試験を行った。
【００２２】
《機械油の洗浄試験（１）》
この試験では、ＳＵＳ−３０４のテストピース（縦２５ｍｍ×横３０ｍｍ×厚さ２ｍｍ）を用意し、このテストピースを機械油（ＣＱ−３０：日本石油株式会社製）中に浸漬した後、各洗浄液中に約３分間浸漬し、その後テストピースを乾燥処理してからテストピースの洗浄具合を調べた。洗浄用溶剤として、１，１，１，３，３−ペンタフルオロブタン（３６５ｍｆｃ）に対し、プロピレングリコール系溶剤としてプロピレングリコールメチルエーテル［ＰＭ］を混合したものと、プロピレングリコール−ｎ−ブチルエーテル［ＰｎＢ］を混合したものと、ジ・プロピレングリコール−ｎ−ブチルエーテル［ＤＰｎＢ］を混合したものとにつきそれぞれ調べた。
【００２３】
その試験結果を次の表１〜３に記す。
【表１】
2006045574.tif 000002
【表２】
2006045574.tif 000003
【表３】
2006045574.tif 000004
【００２４】
これらの試験結果から、プロピレングリコール系溶剤の混合によって洗浄能力がアップし、機械油の洗浄が可能になることが確認された。さらに、ＰＭ，ＰｎＢ及びＤＰｎＢ共に２０重量％以上混合することによって洗浄効果が得られることが確認され、このことから、機械油の洗浄においては、プロピレングリコール系溶剤の混合量を２０重量％以上に設定することが好ましいことがわかった。
【００２５】
《フラックス洗浄試験（１）》
この試験では、テスト用のプリント基板全面にフラックス（タムラＦ−ＡＬ−４、株式会社タムラ製作所製）を塗布し、約２００℃の電気炉で約２分間焼成処理した後、洗浄液中に約３分間浸漬した。その後、プリント基板を乾燥処理してから、洗浄状態を調べた。洗浄液としては、１，１，１，３，３−ペンタフルオロブタン（３６５ｍｆｃ）に対し、プロピレングリコール系溶剤としてプロピレングリコールメチルエーテル［ＰＭ］、プロピレングリコール−ｎ−ブチルエーテル［ＰｎＢ］またはジ・プロピレングリコール−ｎ−ブチルエーテル［ＤＰｎＢ］を各々混合した場合についてそれぞれ調べた。
【００２６】
その試験結果を次の表４〜６に記す。
【表４】
2006045574.tif 000005
【表５】
2006045574.tif 000006
【表６】
2006045574.tif 000007
【００２７】
これらの試験結果から、プロピレングリコール系溶剤の混合により、洗浄能力がアップし、フラックスの洗浄が可能になることが確認された。さらに、ＰＭ，ＰｎＢ及びＤＰｎＢ共に、３０重量％以上混合することによって、洗浄効果が得られることが確認され、このことから、フラックスの洗浄においては、プロピレングリコール系溶剤の混合量を３０重量％以上に設定することが好ましいことがわかった。
【００２８】
《引火性試験》
この試験では、１，１，１，３，３−ペンタフルオロブタンに対して、プロピレングリコール系溶剤を混合したときの引火性について調べた。１，１，１，３，３−ペンタフルオロブタンは、前述したように引火性がなく、不燃物であるのに対して、プロピレングリコール系溶剤は引火性があり可燃物であることから、プロピレングリコール系溶剤の混合量が増えると、引火性が生じて可燃物になる虞がある。そこで、引火性が生じないようにするためのプロピレングリコール系溶剤の適切な混合量について調べた。
【００２９】
ここでは、洗浄液としては、１，１，１，３，３−ペンタフルオロブタン（３６５ｍｆｃ）に対し、プロピレングリコール系溶剤として、プロピレングリコールメチルエーテル［ＰＭ］、プロピレングリコール−ｎ−ブチルエーテル［ＰｎＢ］またはジ・プロピレングリコール−ｎ−ブチルエーテル［ＤＰｎＢ］を各々混合した場合についてそれぞれ調べた。
【００３０】
その試験結果を次の表７〜９に示す。なお、引火性については、タグ密閉方式により調べた。
【表７】
2006045574.tif 000008
【表８】
2006045574.tif 000009
【表９】
2006045574.tif 000010
【００３１】
これらの試験結果から、プロピレングリコールメチルエーテル［ＰＭ］の場合には、これを８０重量％以上混合したときに引火性が生じることがわかり、またプロピレングリコール−ｎ−ブチルエーテル［ＰｎＢ］及びジ・プロピレングリコール−ｎ−ブチルエーテル［ＤＰｎＢ］の場合には、これを９５重量％以上混合したときに、引火性が生じることがわかった。これらのことから、プロピレングリコール系溶剤の混合により引火性が生じないようにするためには、プロピレングリコールメチルエーテル［ＰＭ］の場合には７５重量％以下、またプロピレングリコール−ｎ−ブチルエーテル［ＰｎＢ］またはジ・プロピレングリコール−ｎ−ブチルエーテル［ＤＰｎＢ］の場合には９０重量％以下に混合量を抑える必要があることがわかった。
【００３２】
《機械油の洗浄試験（２）》
次にニトロメタン、ニトロエタン、３−メトキシ・ブチルアセテート、３−メトキシ−１−ブタノールまたはｄ−リモネンを混合した場合の機械油の洗浄試験について説明する。ここでは、これらの溶剤の混合による洗浄能力の向上を見極めるために、洗浄効果があまり良好ではなかったプロピレングリコール系溶剤の混合量が１０重量％以下の場合について調べることとした。
【００３３】
試験は、前述した試験と同様、ＳＵＳ−３０４のテストピース（縦２５ｍｍ×横３０ｍｍ×厚さ２ｍｍ）を用意し、このテストピースを機械油（ＣＱ−３０：日本石油株式会社製）中に浸漬した後、各洗浄液中に約３分間浸漬し、その後テストピースを乾燥処理してからテストピースの洗浄具合を調べることにより行った。その試験結果を次の表１０〜１２に示す。
【表１０】
2006045574.tif 000011
【表１１】
2006045574.tif 000012
【表１２】
2006045574.tif 000013
【００３４】
この試験結果により、ニトロメタン、ニトロエタン、３−メトキシ・ブチルアセテート、３−メトキシ−１−ブタノールまたはｄ−リモネンの混合により、プロピレングリコール系溶剤のみを混合した場合よりも洗浄能力が向上することが確認された。また、これらの溶剤の混合量については、１，１，１，３，３−ペンタフルオロブタン（３６５ｍｆｃ）が８５重量％の場合、少なくとも５重量％以上に設定するのが好ましいことがわかった。
【００３５】
《フラックスの洗浄試験（２）》
次にニトロメタン、ニトロエタン、３−メトキシ・ブチルアセテート、３−メトキシ−１−ブタノールまたはｄ−リモネンを混合した場合のフラックスの洗浄試験について説明する。ここでも、これらの溶剤の混合による洗浄能力の向上を見極めるために、洗浄効果があまり良好ではなかったプロピレングリコール系溶剤の混合量が２０重量％以下の場合について調べることとした。
【００３６】
試験は、前述した試験と同様、テスト用のプリント基板全面にフラックス（タムラＦ−ＡＬ−４、株式会社タムラ製作所製）を塗布し、約２００℃の電気炉で約２分間焼成処理した後、洗浄液中に約３分間浸漬した。その後、プリント基板を乾燥処理してから、洗浄状態を調べた。
【００３７】
その試験結果を次の表１３〜１５に示す。
【表１３】
2006045574.tif 000014
【表１４】
2006045574.tif 000015
【表１５】
2006045574.tif 000016
【００３８】
この試験結果から、ニトロメタン、ニトロエタン、３−メトキシ・ブチルアセテート、３−メトキシ−１−ブタノールの混合により、プロピレングリコール系溶剤（ＰＭ，ＰｎＢ，ＤＰｎＢ）のみを混合した場合よりも洗浄能力が向上することが確認された。また、これらニトロメタン、ニトロエタン、３−メトキシ・ブチルアセテート又は３−メトキシ−１−ブタノールの混合量については、１，１，１，３，３−ペンタフルオロブタン（３６５ｍｆｃ）が７５重量％の場合、１５重量％以上に設定するのが好ましいことが確認された。なお、ｄ−リモネンについては良好な結果を得ることができなかった。
【００３９】
《プラスチック又はゴム等への影響》
次に本発明に係る洗浄用溶剤組成物について各種プラスチック又はゴム等への影響を調べる試験を行った。この試験では、プラスチックとして、軟質塩化ビニール、硬質塩化ビニール、ポリカーボネート（ＰＣ）、アクリル樹脂、ナイロン６６（登録商標）、ポリアセタール、ポリウレタン樹脂、フェノール樹脂、エポキシ樹脂、メラミン樹脂、ユリア樹脂、ポリエチレン、ポリプロピレンを用意し、またゴムとして、フッ素ゴム、クロロプレンゴム、シリコンゴム、ウレタンゴム、ＳＢＲ、天然ゴム、プチルゴムを用意し、それぞれ常温にて約６時間洗浄液に浸漬するテストを行った。その後、乾燥処理を行って影響の有無を調べた。
【００４０】
この試験の結果を次の表１６及び１７に示す。
【表１６】
2006045574.tif 000017
【表１７】
2006045574.tif 000018
【００４１】
これらの試験結果から、本発明に係る洗浄用溶剤組成物は、各種プラスチック類またはゴム類に悪影響を及ぼす虞がないことが確認された。
【００４２】
《金属腐食試験》
この試験では、ＪＩＳ−Ｋ１６００に従って、洗浄後の洗浄液の液相部および気相部の各々にアルミニウム片（ＪＩＳ−Ｈ−４０００、Ａ１１００Ｐ）を配置し、約４８時間後の金属の腐食状況を調べた。
【００４３】
その結果を次の表１８に示す。
【表１８】
2006045574.tif 000019
【００４４】
この試験結果から、本発明に係る洗浄用溶剤組成物はどれも金属を腐食させるような悪影響は与えないことが確認された。